(57)【要約】好ましくは軟組織移植片又は骨−腱−骨移植片が骨トンネル中に受け取られ、移植される、靭帯又は腱の再生又は置換のための移植片固定装置１０、システム及び方法が開示される。移植片固定システムは移植片インターフェース部材１４に回転自在に連結されるねじ込みボディ１２を含む固定装置１０を含む。インプラント／移植片インターフェース部材１４の一実施態様は軟組織移植片を保持するための密閉ループ３２を含む。インターフェース部材１１４の別の実施態様は骨−腱−骨（ＢＴＢ）移植片の一端で骨ブロックを保持するためのケージ下部１１９及び除去可能なケージ上部１２１を含む骨ケージを含む。インターフェース部材２１４の付加的な実施態様は骨ブロックにクリンプ又はステープルされてもよい１片骨ケージ２１７を含む。固定装置１０、１１０、２１０、３１０は骨トンネル中で集中された軸方向の整合で移植片を保持する。固定装置のボディ部分１２はねじ込みボディ１２とインターフェース部材１４、１１４、２１４、３１４の間の回転自在の結合部３８のために、装置に取り付けられた移植片に実質的な捻りを加えないで回転し得る。固定装置はシャフト２５４及び外部スリーブ２５６を有するドライバー用具２６を使用して設置されてもよく、そのドライバー２６は固定装置１０、１１０、２１０、３１０を捻り、独立に押しやる力又は引っ張る力をそれに加えるのに使用し得る。移植片固定方法は固定装置１０、１１０、２１０、３１０を準備された骨トンネル中に引っ張り、又は押しやることによりそれを設置するとともに固定装置に取り付けられた移植片への摩擦又はその他の損傷の可能性を最小にするのに使用し得る。
2004527310.tif 000002
【特許請求の範囲】
【請求項１】
移植片の一端を骨に固定するための固定装置であって、
前記装置が
第一端部及び第二端部を有するインプラントボディであって、該第一端部は挿入用具を受け取るのに適応した形状にされた開口部を有し、かつ第二端部はくぼみを有するボディ、及び
移植片保持部分及びインプラント結合部分を有する移植片インターフェース部材であって、その結合部分の少なくとも一部はくぼみ中に受け取られてインプラントボディを移植片インターフェース部材とは独立に回転させるのに適応した形状にされる部材、
を含み、
前記移植片保持部分が中央の長さ方向の軸を有し、かつ該中央の長さ方向の軸と整合された移植片を保持するのに適応した形状にされることを特徴とする固定装置。
【請求項２】
移植片保持部分が密閉ループを含む請求項１記載の固定装置。
【請求項３】
移植片保持部分がケージを含む請求項１記載の固定装置。
【請求項４】
移植片保持部分がらせんねじ部分を含む請求項１記載の固定装置。
【請求項５】
ケージがケージ下部及び該ケージ下部に取付可能なケージ上部を含む請求項３記載の固定装置。
【請求項６】
ケージが少なくとも一つの長さ方向の壁部分及び円形端部壁セグメントを含む請求項３記載の固定装置。
【請求項７】
インプラント結合部分が可撓性ポストを含む請求項１記載の固定装置。
【請求項８】
可撓性ポストがフレア先端部分を有する請求項７記載の固定装置。
【請求項９】
フレア先端部分が溝削りされている請求項８記載の固定装置。
【請求項１０】
インプラントボディの第二の反対端部中のくぼみがアンダーカット部分を有する請求項１記載の固定装置。
【請求項１１】
インプラントボディ及び移植片インターフェース部材が互いに一体に連結されている請求項１記載の固定装置。
【請求項１２】
ケージ上部がケージ上部をケージ下部に取り付けるのに適応した形状にされた少なくとも一つの戻り止めを含む請求項５記載の固定装置。
【請求項１３】
ケージ下部が戻り止めを受け取るのに適応した形状にされた少なくとも一つの嵌め込みを有する請求項１２記載の固定装置。
【請求項１４】
骨ケージが少なくとも一つの壁部及びその少なくとも一つの壁部中の少なくとも一つの開口部を有する請求項５記載の固定装置。
【請求項１５】
少なくとも一つの壁部がセレーションを含む内面を有する請求項１４記載の固定装置。
【請求項１６】
少なくとも一つの長さ方向の壁部が少なくとも一つの開口部を有する請求項６記載の固定装置。
【請求項１７】
インプラントボディの第一の反対端部中の開口部が六角形である請求項１記載の固定装置。
【請求項１８】
インプラントボディの第一の反対端部中の開口部が内部ねじ切りされた部分を含む請求項１記載の固定装置。
【請求項１９】
インプラントボディの第一の反対端部中の六角形開口部が内部ねじ切りされた部分に対しテーパー付きである請求項１７記載の固定装置。
【請求項２０】
インプラントボディが外面を有し、その少なくとも一部が骨への移植のためのねじ山を含む請求項１記載の固定装置。
【請求項２１】
固定装置及びそれに取り付けられた移植片を準備された骨トンネルに設置し、固定するための移植片固定システムであって、
そのシステムが
第一端部及び第二端部を有するインプラントボディであって、その第一端部は開口部を有し、かつ第二端部はくぼみを有するボディ；並びに移植片保持部分及びインプラント結合部分を有する移植片インターフェース部材であって、そのインプラント結合部分はインプラントボディが移植片インターフェース部材とは独立に回転することを可能にする様式でくぼみ中に受け取られるのに適応した形状にされ、かつその移植片保持部分は中央の長さ方向の軸を有し、かつ中央の長さ方向の軸と整合された移植片を保持するのに適応した形状にされた固定装置、及び
シャフト及び外部スリーブを含むドライバー
を含み、
そのシャフトがインプラントボディに係合するのに適応した形状にされる第一端部を有し、
その外部スリーブがインプラントボディに係合するのに適応した形状にされる第一端部を有し、
そのシャフトが前もって決められた距離にわたって外部スリーブ内で、かつ外部スリーブに対し摺動するのに適応した形状にされることを特徴とする移植片固定システム。
【請求項２２】
ドライバーシャフトの第一端部がインプラントボディ中のくぼみにねじ込まれて係合する請求項２１記載の移植片固定システム。
【請求項２３】
ドライバー外部スリーブの第一端部が捻り力をインプラントボディに加える形状にされる請求項２１記載の移植片固定システム。
【請求項２４】
トンネルが骨中に形成される外科処置において移植片を骨に取り付ける方法であって、
移植片インターフェース部分に一体に連結されたボディ部分を有する固定装置を用意する工程であって、そのボディ部分は移植片インターフェース部分に対し回転可能であり、かつ該固定装置は中央の長さ方向の軸を有し、
第一及び第二の反対端部を有する移植片を用意する工程、
移植片の第一端部を中央の長さ方向の軸に沿って固定装置の移植片インターフェース部分に取り付ける工程、
固定装置を骨トンネル内に取り付ける工程、
張力を移植片中に維持しながら移植片の第二端部を骨に固定する工程、及び
実質的な捻りを移植片に加えないでボディ部分を骨トンネル中で回転させることにより張力を移植片中で調節する工程
を含むことを特徴とする移植片の取り付け方法。
【発明の詳細な説明】
【技術分野】
【０００１】
本発明は靭帯又は腱再生固定システム及び軟組織移植片又は骨−腱−骨移植片が骨トンネル内に受け取られる靭帯又は腱の再生又は置換方法に関する。
【背景技術】
【０００２】
関節鏡手術では、引裂かれ、又は破裂された靭帯又は腱が腱又は靭帯移植片の端部を骨に取り付けることにより治療し得る。移植片端部は種々の装置及び技術のいずれかにより骨に固定し得る。一つの普通の処置は、例えば、膝の前十字靭帯（ＡＣＬ）の置換を伴う。このような手術では、トンネルが典型的には患者のけい骨を通って、関節間結合部を横切って大腿骨まで準備される。ハムストリング腱移植片又は骨−腱−骨移植片が移植可能な移植片固定装置又はねじ等に取り付けられてもよく、これは大腿骨トンネルに頻繁に置かれて移植片の一端をその中に固定することを助ける。移植片の他端はけい骨中の骨トンネル中に固定され、さもなければけい骨に固定される。
【０００３】
このような移植可能な装置の既知の形態は移植片を取り付ける種々の方法を含む。典型的には、移植片を骨に固定する方法は移植片が軟組織、例えば、ハムストリング腱移植片でつくられているか否か、又は骨−腱−骨型移植片が使用されるか否かに依存する。例として、ＡＣＬ再生のための一つの方法は骨−腱−骨移植片及び干渉ねじを使用し、これは骨−腱−骨移植片の骨ブロックに平行な骨トンネルに挿入し得る。この方法によれば、穴が縫合糸（これらは移植片をトンネルを通って適所に引っ張るのに利用できる）を通すために典型的には骨ブロック中に開けられる。次いで骨ブロックが干渉ねじを骨ブロックに隣接するトンネルに挿入することにより骨トンネル中に固定される。骨ブロック及びトンネル壁に対するねじ山の圧縮作用は移植片の骨ブロックを適所に固定することが意図されている。
【０００４】
また、ＡＣＬ再生はハムストリング腱移植片を用いて行なわれてもよい。この型の移植片はまた骨トンネル中に干渉ねじで固定されていた。この状況では、干渉ねじは移植片の端部をトンネル中に固定するために軟組織移植片と骨トンネルの間に固定されてもよい。軟組織移植片固定はまたピンを大腿骨トンネル中及びハムストリング移植片のループ（これは横ピンの上に二重にされる）中に横に置くことにより行なわれてもよい。交差ピンを使用する固定は移植片及び横に配向されたピンのための付加的な、横の骨トンネルの配置のために骨トンネルの準備を伴う。
【０００５】
Gobleらの米国特許第５，９３１，８４０号は靭帯固定システム用の骨固定装置を開示している。Gobleは骨トンネル中に固定される長さ方向の通路を有するねじ込みフーティングを含む２部分組立体を開示している。次いで移植片保持構成部分がフーティング中に延びる長さ方向の通路中に挿入され、載せられる。ねじ込み挿入用具が移植片保持構成部分を、その後の移植片トレーリングで骨トンネルに押しやり、案内するのに使用される。こうして、移植片が適所に案内される際に、移植片材料及び挿入用具のシャフトが互いに隣接する。２部分組立体が骨トンネル中で連結され、次いで挿入用具がねじをゆるめられ、トンネルから取り出される。
【０００６】
別の靭帯再生移植片固定装置がRosenbergらの米国特許第５，１５２，７９０号に開示されている。Rosenbergの特許はその端部で開いており、かつ靭帯移植片を縫合糸でそれに取り付けるための円筒形リング中の縫合糸タイスロット又は開口部を有する回転自在の円筒形リングを有する固定組立体を記載している。回転自在のリングの端部はスリーブ中に延び、かつ両端に開口部を有する長さ方向の通路を有するねじ込みスリーブに連結される。一つ以上の移植片が固定組立体の回転自在のリング端部に縫合された後、ドライバー装置がリング中の開口部を通ってねじ込みスリーブ中の開口部に挿入される。移植片がドライバー用具のシャフトのまわりに配置され、その用具が使用されて組立体を骨トンネル中に案内し、誘導する。ねじ込みスリーブが骨トンネルにねじで締められる場合、円筒形リング及び移植片の捻りが最小にされる。何とならば、リングがねじ込みスリーブに対し回転自在であるからである。
【０００７】
軟組織及び骨−腱−骨移植片を設置し、固定するための既知の装置及び方法は移植片への損傷、移植片を受け取る患者への過度のトラウマ、及び／又は術後の回復時間の増大をもたらし得る不備を問題としている。特に、多くの既知の装置及び移植片固定方法は移植片の満足なテンショニングを可能にしない。例えば、干渉ねじが移植片の一端を骨トンネル中に固定するのに使用される場合、ねじは典型的には移植片張力を調節するために除去される必要がある。このような除去は移植片が引裂かれることを生じ得る。多くの従来技術の固定装置はまた可撓性移植片材料を設置後又は張力が調節される場合に捻らせる。移植片の捻りは望ましくない。何とならば、それが等しくない応力を移植片にかけ、それにより成功裏のリハビリテーションの可能性を減じるからである。更に、幾つかの従来技術の固定システムは移植片を一面に前負荷し、かつ／又は移植片を一面又は骨トンネルの周辺に押しやる様式で移植片を保持する。移植片が軸方向に整合されない力で引っ張られる場合、又は移植片が骨トンネルの周辺に沿って保持される場合、移植片はトンネル中、特にトンネル出口で骨に対する移植片の運動により生じる摩擦を受けるかもしれない。加えて、移植片を挿入し、固定するための多くの従来技術の操作は複雑であり、かつ／又は患者へのトラウマの可能性を増大し、術後の回復及びリハビリテーションを長くし得る多工程を必要とする。移植片を骨に固定する従来技術の方法はまた移植片の形態によりひどく拘束される傾向があり、一般に唯一の特別な操作が移植片を設置するのに使用し得る。
【０００８】
こうして、従来技術の装置及び方法に見られる上記欠点及び問題を解決する靭帯又は腱を再生又は置換するための移植片固定システム及び方法についての要望がある。
【発明の開示】
【課題を解決するための手段】
【０００９】
靭帯又は腱の再生又は置換のための移植片、好ましくは骨トンネル中に受け取られ、移植される軟組織移植片又は骨−腱−骨（ＢＴＢ）移植片固定装置、システム及び方法が開示される。
【００１０】
固定装置は移植片の一端を骨に固定し、インプラントボディ並びに移植片保持部分及びインプラント結合部分を有する移植片インターフェース部材を含む。インプラントボディはインプラントボディが移植片インターフェース部材とは独立に回転することを可能にし、好ましくはインプラントボディを永久様式で移植片インターフェース部材に連結する様式でインプラント結合部分の少なくとも一部を受け取るくぼみを第一端部に有する。移植片保持部分は中央の長さ方向の軸を有し、中央の長さ方向の軸と整合して、好ましくはその軸に沿って移植片を保持するのに適応した形状にされる。インプラントボディの第二端部は挿入用具を受け取って固定装置を移植することを助けるのに適応した形状にされた開口部を有してもよい。
【００１１】
移植片保持部分は密閉ループを含む種々の形態、例えば、アイレット、ケージ又はらせんねじをとり得る。移植片は移植片を密閉ループのまわりに巻き付け、それをケージにより包囲し、ケージをクリンプし、らせんねじ部分を移植片に挿入し、又はステープル、ピン、くぎ、ねじ及びその他の固定装置を使用して移植片を移植片保持部分に取り付けることにより固定されてもよい。インプラント結合部分はフレア先端を有し得る可撓性ポストを有してもよい。一つ以上のスロット又はクロスカットがフレア先端及び／又は可撓性ポスト中に用意されてもよい。インプラントボディ中のくぼみはインプラントボディへの移植片インターフェース部材の取付を促進し得るアンダーカット部分を備えていてもよい。
【００１２】
移植片インターフェース部分のケージ実施態様はＢＴＢ移植片の骨セグメントの一つ、又はその一つの一部を保持するのに適応した形状にされてもよい。ケージ又はその部分はクリンプされて移植片をインプラントに固定し得る。一実施態様において、ケージは円形端部壁セグメントに連結された一つ以上の長さ方向の壁部を有する。長さ方向の壁部は骨をケージに固定するためのステープル、ピン、くぎ、ねじ等を受け取るのに適応した形状にされてもよい一つ以上の開口部を含んでもよい。また、それに加えて、又は必要により、長さ方向の壁部はクリンプされてもよい。
【００１３】
別の実施態様において、ケージは一緒に連結して移植片の一部を包囲する２片を含んでもよい。ケージの２片はケージ下部及びケージ下部に取り付け可能なケージ上部を含んでもよい。ケージを形成する二つ以上の片は片を一緒に取り付けるのに適応した形状にされた一つ以上の戻り止めを有してもよい。ケージの片はまた戻り止めを受け取るのに適応した形状にされた一つ以上の嵌め込みを有してもよい。ケージはまた一つ以上の壁又は壁部を有してもよい。一つ以上の壁又は一つ以上の壁部は移植片を保持することを補助するためにそれらの内面にセレーション又は歯を有してもよい。ケージは更にケージのまわりの、また移植片までの骨成長を促進するために開口部を有してもよい。
【００１４】
インプラントボディは外面を有し、その少なくとも一部が骨への移植のためのねじ山を含んでもよい。挿入用具のためのインプラントボディ中の開口部は六角形、鍵状又は挿入用具がボディを回転させることができるような形状にされる部分を有してもよい。また、加えて、又は必要により、挿入用具開口部は更に挿入用具のねじ山の相手となって挿入用具をインプラントに連結することを補助するための内部ねじ山を含む部分を有してもよい。
【００１５】
本発明は一実施態様において更に固定装置を準備された骨トンネル中に設置し、固定するための移植片固定システムを含む。移植片固定システムはインプラントボディ及び好ましくはそれと移植片インターフェース部材が容易に分離できないような様式で、更に好ましくはそれらが永久に取り付けられる様式でインプラントボディに結合された移植片インターフェース部材を含み、これは移植片インターフェースがインプラントボディとは独立に回転することを可能にする。移植片インターフェース部材は移植片インターフェース部分の移植片保持部分が固定装置の中央の長さ方向の軸に沿って整合されるように、また移植片保持部分が移植片を中央の長さ方向の軸と整合されて、好ましくはその軸に沿って保持するのに適応した形状にされるようにインプラントボディに連結されることが好ましい。インプラントボディ及び移植片インターフェース部分は固定装置を記載する場合に上記された構造及び特徴を有してもよい。
【００１６】
固定システムはシャフト及び外部スリーブを含むドライバーを更に含んでもよく、そのシャフトはインプラントボディに係合するのに適応した形状にされる第一端部を有してもよく、また外部スリーブはシャフトが前もって決めた距離だけ外部スリーブ内でそれに対し摺動するのに適応した形状にされるインプラントボディに係合するのに適応した形状にされる第一端部を有してもよい。ドライバーシャフトの第一端部はインプラントボディ中のくぼみ中のねじ山と係合するためにねじ山と適応した形状にされてもよい。ドライバー外部スリーブの第一端部はインプラントボディを回転させる様式でインプラントボディ中のくぼみと係合するのに適応した形状にされてもよい。
【００１７】
トンネルが移植片を受け取るべきである骨中に形成される外科処置で移植片を骨に取り付ける方法がまた提供される。その方法は（ｉ）移植片インターフェース部分に実質的に永久に連結されたボディ部分を有する固定装置を用意する工程（その固定装置は中央の長さ方向の軸を有し、かつその移植片インターフェース部分は中央の長さ方向の軸のまわりでそのボディ部分に対し回転可能である）、（ｉｉ）第一及び第二の対向端部を有する移植片を用意する工程、（ｉｉｉ）移植片の第一端部を中央の長さ方向の軸に沿って移植片インターフェース部分に取り付ける工程、（ｉｖ）固定装置を骨トンネル内に取り付ける工程、（ｖ）張力を移植片中に維持しながら移植片の第二端部を骨に固定する工程、及び（ｖｉ）実質的な捻りを移植片に加えないでボディ部分を骨トンネル中で回転させることにより張力を移植片中で調節する工程を含む。
【００１８】
本発明の短い要約が提供されたが、この記載は本発明の基礎である原理及び概念の単なる例示であることが注目されるべきである。種々の改良だけでなく、その他の実施態様が、本発明の精神及び範囲から逸脱しないで、当業者に明らかであることが意図されている。
【発明を実施するための最良の形態】
【００１９】
図１は軟組織移植片、例えば、ハムストリング腱移植片の一端を骨トンネル中に移植し、固定するために使用し得る本発明の実施態様の軟組織移植片固定装置１０を示す。移植片固定装置１０はボディ１２及びそれに連結された移植片インターフェース部材１４を含む。
【００２０】
ボディ１２（図２）は準備された骨トンネル中に直接固定し得る移植片固定装置の部分である。ボディ１２はまた移植片を保持する移植片インターフェース部材１４（図３）に直接連結されてもよい。ボディ１２及び移植片インターフェース部材１４は、図４及び図５中の好ましい実施態様に従って説明されるように、その構成部分に容易に分離し得ない一体構造を形成することが好ましい骨トンネル中の移植の前に２片組立体を形成するために連結されてもよい。ねじ込みボディ１２の結合端部１６は、以下に記載されるように、移植片インターフェース部材１４を回転自在に受け取るためのくぼみ１８を有する。ボディ１２は骨トンネルに直接固定し得るので、ボディ１２は実質的に非可撓性であることが好ましく、また生体適合性金属から形成されることが好ましい。移植片インターフェース部材１４はまた生体適合性金属から形成されることが好ましい。ボディ１２は外面を有し、その少なくとも一部が前もって穴開けされた骨トンネルへの挿入及び移植のためのセルフタッピング外部ねじ山１９を含む。ボディ１２の外面上のねじ山は固定装置を骨トンネル内に移植するために用意されるが、ボディ１２を固定するためのその他のメカニズムが当業者に公知であり、また利用し得ることが認められるであろう。
【００２１】
ボディ１２は逆にねじ切りされることが好ましく、以下に更に詳しく説明されるように、ボディ１２の近位端部２０に取り付けられてもよいねじ込み用具を使用して骨トンネルに誘導されてもよい。勿論、ボディ１２はまた通常の右手ねじ山を有してもよい。ボディ１２の近位端部２０は骨トンネルへのタッピングを促進するためにフルート２２を有してもよい。近位端部２０はドライバー用具２６（図２６に示される）を受け取るための開口部２４を有することが好ましく、これは固定装置１０を骨トンネルに引っ張り、又は押しやり、またボディ１２を捻ってそのねじ山１９を骨トンネル壁に誘導するのに使用されてもよい。開口部２４は図５及び図６に示されるように内部ねじ切りされた部分３０に対しテーパー付きである六角形キャビティ２８を含むことが好ましい。六角形キャビティ２８及び内部ねじ切りされた部分３０は以下に記載されるように保持ドライバーの相手となるような寸法にされてもよい。
【００２２】
固定装置１０の一実施態様によれば、ボディ１２は軟組織移植片の一端を骨トンネルに移植し、取り付けるために図１−６の実施態様でアイレット部分と称される、移植片インターフェース部材１４に結合されてもよい。図３に示された、アイレット部分１４は、移植片を受け取り、保持してもよく、またボディ１２と連結してもよい。アイレット部分１４の部分として形成された密閉ループ３２は軟組織移植片の端部を受け取ってもよい。移植片は密閉ループ３２に挿入され、そのまわりに巻き付けられ、例えば、縫合糸を使用して固定されて移植片が密閉ループ３２（例えば、図３０−３３を参照のこと）から分離することを制止する。密閉ループ３２は柔らかい半径端部表面３４を有して移植片への損傷を防止することが好ましい。加えて、移植片インターフェース部材１４は移植片インターフェース部材１４をボディ１２に連結するための回転自在の結合３８の部分を形成する可撓性ポスト３６を有することが好ましい。
【００２３】
図５はボディ１２の結合端部１６でくぼみ１８に挿入された可撓性ポスト３６を有する回転自在の結合部３８を示す。可撓性ポスト３６はそれが長さ方向の軸４４のまわりで回転し得るようにくぼみ１８中に受け取られる。図５に示されるように、くぼみ１８は移植片インターフェース部材１４の可撓性ポスト３６を受け取るためのアンダーカット部分４０を有する。可撓性ポスト３６はポスト部分の長さ方向の軸４４中を延びるスロット４３を形成する少なくとも一つのクロスカット４２を有してポストセグメント４６、４８を形成することが好ましい。当業者は多くのクロスカット又はスロットが可撓性ポスト３６中に形成し得ることを認めることができる。ポストセグメント４６、４８は一緒に絞られる場合に互いに向かって撓んでもよい。ポスト３６はまたねじ込みボディ１２のくぼみ１８に挿入し得るフレア先端部分５０を有してもよい。挿入後に、ポストセグメント４６、４８はフレア先端部分５０がアンダーカット部分４０に達するまで互いに向かって弾性的に撓み、その後にフレア先端部分５０がその撓まない位置にばねで戻る。くぼみ１８のアンダーカット部分４０はフレア先端部分５０のショルダー５２がくぼみ１８中を逆に通ることを防止するフランジ４１を形成する。こうして、ボディ１２及び移植片インターフェース部材１４が好ましくは永久に連結されるが、それらは未だ長さ方向の軸４４のまわりを独立に自由に回転する。
【００２４】
図７−１３に示される、本発明の別の実施態様において、固定装置１１０は骨−腱−骨（ＢＴＢ）型移植片の一端を骨トンネル中に固定するのに使用し得る。この実施態様について、ボディ１２はＢＴＢ移植片の一端を形成する骨ブロック又は骨プラグを保持する形状にされる移植片インターフェース部材１１４に回転自在に連結し得る。
【００２５】
図７に示される実施態様において、移植片インターフェース部材１１４は骨ブロックケージ１１７を含み、その中でＢＴＢ移植片の骨プラグ端部がトラップされ、圧縮し得る。ケージ１１７はケージ下部１１９及びケージ上部１２１を含むことが好ましく、これらが夫々図８及び図９に示される。ケージの一部分、好ましくはケージ上部１２１は図１０に示されるように移植片インターフェース部材１１４から除去し得る。
【００２６】
ケージ下部１１９及びケージ上部１２１は一緒にスナップし得ることが好ましい。図９及び図１１に示されるように、ケージ上部１２１はケージ上部１２１がケージ下部１１９の嵌め込み１２５と係合することを可能にする戻り止め１２３を有してもよく、その結果、骨ブロックがケージ下部１１９の内部スペース１２７中に配置された後に、ケージ１１７の上部及び下部が一緒に締められてもよい。また、骨ブロックがケージ下部１１９の内部スペース１２７中に配置された後に、ケージ上部１２１が骨の上でクリンプされてケージを閉じ、骨ブロックをその中に固定し得る。
【００２７】
ケージの壁１２９は骨ケージウインドー１３１中の骨の内方成長及び骨再生を促すためにウインドー又は開口部１３１を備えていてもよい。セレーション又は歯１３３が骨ブロックケージ１１７の内部１３７に形成されてもよく、その中に挿入される骨ブロックに固定保持を与え得る。ケージ１１７は移植片の残部がインプラント装置から離れて延びることを可能にするために、図７に示された、開口部１３５を更に含む。可撓性ポスト１３６はインターフェース部材１１４をボディ１２に連結するために移植片インターフェース部材１１４の近位端部１３９にある壁１４５から長さ方向に延びてもよい。可撓性ポスト１３６は、先の実施態様に記載され、図１３に示されるように、ボディのくぼみ１８の相手となって回転自在の結合部１３８を形成する。回転自在の結合部１３８はインターフェース部分１１４が長さ方向の軸１４４のまわりにインプラントボディに対し回転することを可能にする。
【００２８】
更に別の実施態様によれば、固定装置は骨−腱−骨移植片再生のための１片骨ブロックケージを用意してもよい。図１４−１７に示されるように、固定装置２１０は骨プラグを保持するための１片ケージ２１７を有する移植片インターフェース部材２１４、及びインプラントボディ１２を含むことが好ましい。回転自在の連結２３８が移植片インターフェース部分２１４とボディ１２の間に用意される。図１４に示される実施態様によれば、骨ブロックケージ２１７は長さ方向の壁ステム部分２２９及びカットアウト部分２３１を有する１片構造である。骨ブロックケージ２１７の遠位端部２３２は骨プラグ又はブロックが挿入し得る円形開口部２３５を有する。図１６及び図１７に示されるように、ケージ２１７の近位端部２３９はボディ１２中のくぼみ１２に挿入し、骨ブロックケージをそれに取り付けるためにケージ部分２１７から離れて長さ方向に延びる可撓性ポスト２３６を有する壁２４５を有する。壁部２２９はケージ２１７の反対面に形成されることが好ましく、その結果、骨ブロックがそれらの間に挿入し得る。
【００２９】
骨ブロックの挿入後に、壁部２２９は内向きにクリンプされて骨ブロックを適所に保持し得る。骨ブロックをケージ２１７中でクリンプすることに代えて、又はそれに加えて、壁部２２９は一つ以上の穴２５４ａ、２５６ａを備えてもよく、その結果、一つ以上のステープル（示されていない）が壁部２２９及び骨ブロック中に挿入されて骨ブロックをケージ中に保持し得る。カットアウト部分２３１（図１５）は開放をケージ２１７構造に与えてケージ２１７中の骨ブロックと骨トンネル（その中にケージが挿入される）の間の骨再生を促す。
【００３０】
図１８−２５に示される、別の実施態様、移植片固定装置３１０は骨−腱−骨再生に有益であるかもしれない。移植片固定装置３１０は骨プラグへの挿入のためのらせんねじ部材３１７及びボディ１２への連結のためのスイベルコネクタ３１８を含む移植片インターフェース部材３１４を含むことが好ましい。回転自在の連結３３８がスイベルコネクタ３１８とねじ込みボディ１２の間に用意される。スイベルコネクタ３１８はボディ１２中のくぼみ１８への挿入のために壁部３４５から離れて長さ方向に延びる可撓性ポスト３３６を有する壁部３４５を含む。可撓性ポスト３３６は上記された可撓性ポスト３６のような形状、構造にされてもよい。スイベルコネクタ３１８は長さ方向の軸３４４のまわりにボディ１２に対し独立に回転自在である。
【００３１】
壁部３４５はスイベルコネクタ３１８を回転させるためのレンチ又はその他の装置にフィットするために側面３６２を有して示されるような六角形であってもよい。スロット３６４が側面３６２中に形成されてもよく、通路３６６が図２３及び図２４に示されるように壁部３４５を通ってスロット３６４の間に延びる。
【００３２】
らせんねじ部材３１７はスイベルコネクタ３１８に連結するためにその近位端部３３９に近位フック部分３６８を有する。近位フック部分３６８は湾曲中間部分３７４（これはＢＴＢ移植片の骨部分に係合するらせんねじ部分３７６に遷移する）により追随された真っ直ぐに延びる部分３７２に連結された湾曲端部３７０を有する。らせんねじ部材３１７はスイベルコネクタ３１８に連結され、その結果、延びている部分３７２が縦走して通路３６６中にあり、湾曲部分３７０、３７４がスロット３６４中にある。この様式において、らせんねじ部分３１７がスイベルコネクタ３１８に固定され、その結果、それらは互いに対して回転しない。使用中、らせん部分が骨ブロックの一つに挿入される。レンチ又は同様の用具がスイベルコネクタ３１８を把持してらせんねじ部材を骨ブロックに挿入することを補助してもよい。らせんねじ部材が骨ブロックに移植された後、ボディ１２がその後に骨トンネルにねじ込まれて骨に取り付けてもよい。ボディ、スイベルコネクタ及びらせんねじ部材の全てが製造中にユニットとして、好ましくは永久に、組み立てられて一体構造を形成する。
【００３３】
固定装置の好ましい実施態様は移植片を固定装置の中央の長さ方向の軸に沿って取り付け、それによりインプラント又は固定装置との移植片の整合を促進する移植片に沿った力の等しい分布を維持する。移植片を骨トンネル中で集中整合で保持することにより、本発明の固定装置は移植片の磨耗及び摩擦を最小にし、それにより一層成功裏の移植及びリハビリテーションを確実にする。
【００３４】
図２６−２８に示されているような保持ドライバー２６は固定装置１０、１１０、２１０又は３１０及び移植片を好適に準備された骨トンネル中に配置し、固定することを補助し得る。以下に大いに詳しく記載されるように、保持ドライバー２６は固定装置１０、１１０、２１０又は３１０を骨トンネル中に押しやり、又は引っ張り、またボディ１２をトンネルに誘導し、又はねじ込むのに使用し得る。こうして、ドライバー２６はボディ１２の近位端部２０に着脱自在に取り付け可能であることが好ましい。ドライバー２６をボディ１２に取り付ける好ましい方法はドライバー及び固定装置が張力にかけられた場合、例えば、ドライバーが固定装置を骨トンネルに引っ張るのに使用される場合、またトルクを受けた場合、例えば、ドライバーが回転されてねじ山１９を骨トンネルの壁に入り込ませ、係合させる場合に一緒に留まることを可能にする。
【００３５】
図２６に示された好ましい実施態様によれば、ドライバー２６は外部スリーブ２５６により包囲されたシャフト２５４を含む。シャフト２５４（図２７を参照のこと）はハンドル部分２６３（これはオペレーターがシャフトを容易に把持し、保持し、かつ／又は捻ることを可能にするような質感にされることが好ましい）を含む近位端部２６２を有する。シャフト２５４の遠位端部２８０は内部ねじ山３０（図５を参照のこと）でボディ１２の相手となり得る外部ねじ山２６４（示されていない）を有することが好ましい。外部ねじ山２６４を含む、シャフトの遠位端部２８０は、近位端部２７４で外部スリーブ２５６に案内されてもよい。図２８は第一内径２６０を有する中空内部２５８を備えた外部スリーブ２５６を示す。第一直径２６０はスリーブ２５６内のシャフト２５４の軸方向の移動を可能にするのに充分である。外部スリーブ２５６の遠位端部２６６は図２９に示される、外部六角形結合部分２６８を有することが好ましく、これはボディ１２の六角形キャビティ２８に挿入されてもよい（図５及び図６を参照のこと）。
【００３６】
シャフト２５４及びスリーブ２５６は保持ドライバー２６の長さ方向の軸の前もって決められた部分に沿って互いに対し長さ方向に摺動し得る。それ故、シャフト２５４及びスリーブ２５６の部分は前もって決められた量の相対的軸方向運動を可能にする形状にされてもよい。例えば、スリーブ２５６は図２８に示されるように、近位端部２７４で内部ねじ山２７２を有する開口部２７０を有することが好ましい。内部ねじ山２７２はスリーブ２５６内のキャビティ２７６で終端し、キャビティ２７６は中空内部２５８の第一内径２６０より大きい直径２７３を有する。キャビティ２７６は図２８に示されるように、スリーブ２５６の内部の前もって決められた長さＬに沿って近位端部２７５から遠位端部２７７まで延びてもよい。また、図２７に示された好ましい実施態様によれば、シャフト２５４はシャフトの近位端部２６２付近に外部ねじ山２７８を有してもよい。外部ねじ山２７８はねじ山２７８に対し遠位であるシャフト２５４の残部よりも幅広い最大直径Ｄを有する。また、ねじ山２７８はスリーブ２５６の開口部２７０で内部ねじ山２７２と係合可能である。こうして、シャフト２５４の遠位端部２８０はシャフトの外部ねじ山２７８がスリーブの内部ねじ山２７２と係合するまでスリーブ２５６の近位開口部２７０に挿入され、その中に押しやられてもよい。次いでシャフト２５４は外部ねじ山２７８がキャビティ２７６に延びるまでスリーブ２５６にねじ込まれてもよく、シャフト２５４がキャビティ２７６の長さＬにより制限される距離にわたってスリーブ２５６に対し軸方向に摺動することを可能にする。それ故、ねじ山２７８はねじ山２７８が摺動し得るキャビティ２７６の前もって決められた長さＬのためにスリーブ２５６内のシャフト２５４の制限された軸方向の移動を可能にし得る。
【００３７】
ねじ山２７８はまたシャフト２５４がスリーブ２５６から偶発的に摺動して出て行くことを防止するのに利用し得る。ドライバー２６の構成部分２５４及び２５６を一緒に保持することはドライバーの滅菌を保存し、特に外科処置中の、その取扱を簡素化することを助ける。内部ねじ山２７２をスリーブ２５６中に用意してシャフトがスリーブから偶発的に摺動して出て行くことを防止することは好ましいが、当業者に知られている、その他の構造がこのような目的のために用意されてもよいこと又はねじ山２７２が省かれてもよいことが意図されている。更に、外部ねじ山２７８及びキャビティ２７６を備えたドライバー２６を用意することは好ましいが、その他の形状寸法がシャフト２５４とスリーブ２５６の間の制限された移動を可能にするのに使用されてもよいことが当業者に容易に明らかであろう。
【００３８】
こうして、シャフト２５４は軸方向に摺動されてもよく、その結果、遠位端部２８０がスリーブ２５６内に引っ込み、又はスリーブ２５６の外部にその遠位端部２６６を越えて突き出る。図２９の詳細図中、シャフト２５４の遠位端部２８０はスリーブ２５６の遠位端部２６６の外に突き出る。遠位端部２８０がスリーブ２５６の外に突き出る場合、外部ねじ山２６４はボディ１２（図５に示される）中のくぼみ１８のねじ込み部分３０にねじ込まれてもよい。シャフト２５４がこうしてボディ１２と係合される場合、外部スリーブ２５６の六角形結合部分２８６がまたボディ１２の六角形キャビティ２８と係合されてもよい。また、外部スリーブ２５６はねじ込みボディ１２から外されてもよく、その結果、ドライバー２６のシャフト部分２５４のみがボディ１２と係合されて残る。ねじ込み端部２６４がスリーブ２５６内に完全に引っ込められる場合、ドライバー２６は六角形結合部分２８６を六角形キャビティ２８に挿入することによりボディ１２に着脱自在に連結されてもよい。シャフト２５４及びスリーブ２５６は互いに対し摺動し得るので、シャフト端部２６４又はスリーブ端部２６６のいずれか、又は両方がボディ１２の近位端部２０と係合し得る。
【００３９】
ドライバー２６はまたドライバーの外部スリーブを回転させるためのＴハンドルの如き通常の用具と係合するために外部スリーブ２５６上に平らな部分２８５を有することが好ましい。ラチェットＴハンドルが平らな部分２８５で外部スリーブ２５６に着脱自在に取り付けられる場合、シャフト２５４が静止して留まっていてもよい間に外部スリーブが回転されてもよい。こうして、外部スリーブ２５６がボディ１２に連結され、Ｔハンドルが平らな部分２８５で外部スリーブと係合する場合、外部スリーブはボディをその長さ方向の軸４４のまわりに回転させるように捻られてもよい。
【００４０】
それ故、ドライバー２６は引っ張り力又は押しやる力を本発明の固定装置に加えることができ、独立にトルクを固定装置に加える。こうして、固定装置へのドライバー２６の取付は装置１０、１１０、２１０又は３１０が骨トンネル中に引っ張られ、又は押しやられ、次いで回転されることを可能にし、その結果、ボディ１２のねじ山１９が骨にタッピングし、装置をそれに固定し得る。しかしながら、ドライバー２６をボディ１２に結合するための本明細書に記載された特別な形態はそれらの間の着脱自在の連結を得るのに使用し得る幾つかの形態の一つにすぎないことが理解されるべきである。例えば、ボディ１２のキャビティ２８及びドライバー２６上の結合部分２６８の断面の形状、寸法は六角形である必要はない。その代わり、当業者に知られているあらゆる形状、寸法がドライバー２６にトルクをボディ１２に適用させる着脱自在の結合を与える限り、それが使用されてもよい。トルクを伝達するドライバー２６の能力はボディ１２を長さ方向に引っ張り、又は押しやるその能力とは独立であることが好ましい。また、ドライバーシャフト２５４とねじ込みボディ１２の間の結合はシャフト２５４上の外部ねじ山２６４とねじ込みボディ１２上の内部にねじ切りされた部分３０との間の結合に限定されないことが理解されるべきである。当業者は種々の既知の形態のいずれか一つがドライバー２６にねじ込みボディ１２を軸方向に押しやり、又は引っ張らせることを可能にする着脱自在の結合のために使用されてもよいことを認めるであろう。
【００４１】
本発明の固定装置の好ましい実施態様は一工程移植片挿入／固定方法に従って骨トンネルに移植又は固定されてもよく、その移植片は骨トンネル中の移植の前に固定装置に連結されることが好ましい。本明細書に使用される“一工程”という用語は二つの別々の工程ではない好ましい方法を表し、その方法ではインプラント及び移植片が互いに取り付けられている間にそれらがトンネルに挿入されてもよい。
【００４２】
予備に、軟組織移植片又は骨−腱−骨移植片が得られ、又は回収され、そして適当な移植片インターフェース部分、例えば、上記された実施態様のものに固定される。例えば、軟組織移植片はアイレットループ部分を有する固定装置の実施態様、例えば、図１−６に示された実施態様に取り付けられてもよい。一方、骨−腱−骨移植片の端部は骨ブロック又は骨プラグを固定して保持することができる実施態様、例えば、図７−１３、図１４−１７又は図１８−２５に示された実施態様の一つに取り付けられることが好ましい。移植片インターフェース部材１４、１１４、２１４又は３１４はインターフェース部材とインプラントボディの間の永久の、回転可能な連結、例えば、回転可能な結合３８、１３８、２３８、３３８によりボディ１２に連結されることが好ましい。このような連結はインプラント／移植片固定装置が一緒に固定して永久に保持することを確実にするが、未だインプラントボディ１２がインターフェース部材１４、１１４、２１４又は３１４に取り付けられた移植片とは独立に装置の長さ方向の軸４４のまわりに自由に回転する。
【００４３】
固定装置は移植片インターフェース部材１４、１１４、２１４又は３１４がインターフェース部材への移植片の取付の前にボディ１２に連結されることが好ましい方法に従って骨トンネル中に挿入され、固定されてもよい。以上に記載された固定装置の実施態様のいずれか一つが、選択される移植片の型に応じて、その方法と一緒の使用のために選ばれてもよい。例えば、軟組織移植片は密閉ループ３２で固定装置１０に取り付けられることが好ましい。軟組織移植片はそれ自体に、かつ／又はアイレットループ３２に縫合されることが好ましく、移植片が固定装置１０から落下しないことを確実にする。骨−腱−骨移植片は骨ブロックを移植片の一端で固定装置又はインプラントに固定する固定装置１１０、２１０又は３１０に取り付けられてもよい。
【００４４】
図７−１３により例示されるような、固定装置１１０を使用する場合、移植片の一端にある骨ブロックはケージ下部１１９（図８に示される）に入れられてもよく、次いでケージ上部１２１が、例えば、戻り止め１２３を嵌め込み１２５に挿入し、スナップすることによりケージ下部に取り付けられてもよい。セレーション１３３が骨ブロックに食い込み、その間にウインドー１３１が開口部を与えて骨ブロックと骨トンネル（その中に固定装置が挿入される）の間で骨の内方成長及び再生を促進する。また、一端に骨ブロックを有する移植片が固定装置２１０に取り付けられてもよく、これは図１４−１７に示されるような１片骨ブロックケージ２１７を与える。１片骨ブロックケージ実施態様を使用するために、移植片の一端にある骨ブロックがケージ２１７の遠位端部２３２で開口部２３５に軸方向に挿入される。骨ブロックは幾つかの方法の一つにより、例えば、長さ方向の壁部２２９を骨ブロックに対しクリンプして、又は一つ以上のステープルを穴２５４ａ及び／又は２５６ａを通って骨ブロックに挿入することによりケージ２１７に固定されてもよい。
【００４５】
固定装置及び移植片が互いに一旦固定されると、それらは今にも骨トンネルに移植される。その装置及び方法は種々の靭帯修復処置又は置換処置に使用されてもよいが、以下の記載はそれが前十字靭帯（ＡＣＬ）再生処置に適用し得る方法を記載することによりその方法を例示する。
【００４６】
予備に、適当な骨トンネルが既知の方法に従って準備される。これらの骨トンネルはけい骨及び大腿骨中に穴開けされ、その後に固定装置又は移植片を挿入し、固定する。けい骨のトンネルは膝関節の下のけい骨皮質から膝関節の関節内のスペースまで延びる。大腿骨のトンネルは関節内のスペースから大腿骨の上外側の表面まで延びる。こうして、準備されたトンネルは引き裂かれ、又は破裂されたＡＣＬの取付部位で膝関節の関節内のスペースに合する。
【００４７】
本発明の好ましい方法によれば、一つの固定装置１０、１１０、２１０又は３１０が移植片の一端に取り付けられ、その間に移植片の反対端部が図３０に示されるように自由のままである。図３１は軟組織移植片及び固定装置１０を準備された骨トンネル２８６及び２９０に挿入する方法の一例を示す。図３１に示されるように、ドライバー用具、好ましくは保持ドライバー２６がボディ１２の近位端部２０にある固定装置１０、１１０、２１０又は３１０にその遠位端部２８２で取り付けられてもよい。ボディ１２は移植片インターフェース部分１４、１１４、２１４又は３１４に既に取り付けられており、また移植片がインターフェース部分に固定されていることが好ましい。ドライバーのシャフト２５４及び外部スリーブ２５６の両方がインプラントボディ１２に連結されることが好ましい。次いでドライバー２６の近位端部２８４がけい骨皮質トンネル入口２８８で準備され、拡大されたけい骨大腿骨のトンネル２８６に挿入される。けい骨トンネル２８６はねじ山がトンネルの側壁に係合しないで固定装置１０、１１０、２１０又は３１０が通過し得るように拡大されることが好ましい。ドライバー２６は近位端部２８４が図３１に示されるように上外側のトンネル入口３００から突き出るまで準備されたけい骨のトンネル２８６及び大腿骨のトンネル２９０中に案内される。次いでドライバー端部２８４が大腿骨のトンネル２９０から引っ張り出され、その結果、固定装置及び移植片２９４が準備された拡大された骨トンネル２８６中に引っ張られ、案内されてもよい。この方法によれば、移植片２９４が固定装置１０、１１０、２１０又は３１０の後について行く。こうして、ドライバー２６はボディ１２の近位端部２０が大腿骨のトンネル２９０と係合するまで固定装置を引っ張るのに使用される。移植片２９４が一つ以上の骨トンネル中に案内される際に或る張力がそれに適用されて該移植片への摩擦を最小にすることが好ましい。ボディ１２が所望の位置に達する場合、ラチェットＴハンドル２９２（図３３）の如き用具が連結され、使用されてボディ１２を進め、ねじ山１９を大腿骨の骨トンネルにタッピングさせてもよい。
【００４８】
前記のように、Ｔハンドル又は同様の装置が、好ましくは平らな部分２８５で、ドライバー２６の外部スリーブ２５６に取り付けられてもよく、平らな部分２８５はＴハンドルの歯に係合してもよく、それによりＴハンドル装置がスリーブ２５６にひっつかみ、トルクをそれに適用することを可能にする。また前記のように、ねじ込みボディ１２上のねじ山１９は逆にねじ切りされていてもよい。こうして、通常の右手動程を有するＴハンドルがスリーブ２５６を動かし、それを回転させてボディ１２に骨トンネル中で回転させるのに使用し得る。このような様式において、ボディ１２のセルフタッピングねじ山１９が骨トンネル中の骨に係合する。固定装置の位置の調節はまたドライバー２６の外部スリーブ２５６を回転させてボディ１２を骨トンネル２９０中の所望の場所に動かすことにより行なわれてもよい。固定装置に取り付けられる移植片２９４の端部２９８は上記のように大腿骨のトンネル２９０中に固定されてもよい。また、その代わりに、固定装置及び移植片を大腿骨のトンネル２９０を通ってけい骨のトンネル２８６中に引っ張ることが好ましいかもしれず、その結果、固定装置がけい骨のトンネル２８６中に固定される。
【００４９】
また、固定装置１０、１１０、２１０、３１０をドライバー２６の遠位端部２８２に取り付け、その後に近位端部２８４を準備された骨トンネルに通すことに代えて、ドライバー２６が最初に骨トンネル中に案内され、次いでボディ１２の近位端部２０に連結されてもよい。例えば、ＡＣＬ再生処置について、移植片２９４が準備され、その端部２９８でインプラント１０、１１０、２１０又は３１０に取り付けられてもよい。次いでドライバー２６の如きドライバー用具は遠位端部２８２がトンネルのけい骨皮質入口２８８から突き出るまで大腿骨のトンネル２９０の上外側の入口３００に挿入され、案内されてもよい。次いでドライバー２６の遠位端部２６が、例えば、ドライバーシャフト上のねじ山２６４をボディ１２の内部ねじ切りされた部分３０に一緒にねじ込むことにより固定装置１０、１１０、２１０、３１０に固定されてもよい。外部スリーブ２５６の結合部分２６８がまた開口部２４でボディ１２に連結されてもよい。次いでドライバーがインプラント１０、１１０、２１０及び移植片を骨トンネルに引っ張るのに使用し得る。固定装置１０、１１０、２１０、３１０が所望の位置で大腿骨のトンネルにねじ込まれてもよい。固定装置をけい骨のトンネルを通って大腿骨のトンネルに上に引っ張ることに代えて、固定装置はまた大腿骨のトンネル入口３００から引っ張られ、骨トンネル中に案内されてもよく、その結果、それが回転されて、けい骨のトンネル２８６に固定されてもよいことが当業者に明らかであろう。
【００５０】
また、別の方法によれば、縫合糸パサーの如き装置が移植片の自由端部を骨トンネルに引っ張ることを補助するのに使用されてもよい。移植片２９４が一つ以上の骨トンネルに案内される際に、或る張力がそれに適用されて移植片への摩擦を最小にすることが好ましい。移植片がけい骨の皮質入口２８８から上に引っ張られる場合、移植片の後縁で取り付けられた固定装置は最終的にトンネル入口２８８に近づき、移植片インターフェース部材部分１４、１１４、２１４又は３１４が骨トンネル２８６に案内される。ドライバー２６がインプラントボディ１２中の開口部２４で固定装置の後縁２０に連結される。ラチェットＴハンドル２９２（図３２）の如きハンドルがドライバー２６の平らな部分２８５に固定されることが好ましく、その結果、オペレーターがドライバーを回転させ、インプラントボディ１２のねじ山１９を骨トンネルにタッピングさせてもよい。固定装置は回転可能な結合部３８、１３８、２３８又は３３８を有するので、ボディ１２の回転は実質的な捻りを移植片（これは固定装置に取り付けられる）に加えない。
【００５１】
移植片２９４の自由端部２９６は当業界で知られている種々の方法のいずれか一つにより、例えば、干渉ねじを関節鏡門戸３０４（示されていない）に挿入して移植片２９４の近位端部２９６を骨トンネル２８６に固定することにより骨トンネルに固定されてもよい。また、固定装置及び移植片が設置される方法及び場所に応じて、移植片の近位端部がステープルで骨に固定されてもよい。また、そのアプローチは大腿骨のトンネル２９０に挿入され、けい骨のトンネル２８６中に固定された固定装置１０、１１０、２１０又は３１０では逆にされてもよい。この別法によれば、固定装置１０、１１０、２１０又は３１０がけい骨のトンネル２８６に案内され、ねじ込まれ、移植片２９４の自由端部２９６が、例えば、知られているステープリングの方法に従って大腿骨のトンネル２９０の上外側の入口３００付近でステープリングされてもよい。
【００５２】
また、装置１０’、１１０’、２１０’又は３１０’の如き第二固定装置が移植片端部２９６に固定されてもよく、その結果、移植片の夫々の端部が一つ以上の骨トンネルへの移植の前に固定装置に取り付けられる。本明細書に使用される、参照番号後に置かれる添え字のダッシュは第二装置が使用されることを示す。移植片の両端２９６、２９８で固定装置に取り付けられる移植片を移植するために、例えば、夫々のドライバーが移植片の反対端部でインプラントボディに取り付けられる、二つのドライバー用具２６及び２６’を使用することが好ましいかもしれない。ＡＣＬ再生処置について、ドライバー２６が最初に移植片の近位端部２９６に連結されてもよい。同時に、第二ドライバー２６’が移植片の遠位端部２９８で第二固定装置１０’、１１０’、２１０’又は３１０’に取り付けられる。ドライバー２６はドライバー２６が夫々反対のトンネル開口部３００又は２８８から突き出るまでトンネル開口部２８８又は３００に挿入され、けい骨のトンネル及び大腿骨のトンネルの両方に案内されてもよい。この時点で、ドライバー２６が固定装置１０、１１０、２１０又は３１０及び移植片の近位端部２９６を骨トンネル中に引っ張り、案内するのに使用される。ドライバー２６及び２６’の両方が固定装置及びそれらの間の移植片を骨トンネル２８６及び２９０中に案内するのに使用されてもよい。ドライバー２６及び２６’はまた互いに独立に回転されてボディ１２及び１２’を回転させ、それらのねじ山を夫々の骨トンネル２８６及び２９０にタッピングさせてもよい。
【００５３】
固定装置が移植片の両端２９６及び２９８に取り付けられる場合、移植片はまた外科処置中に膝関節３０６中に形成される関節鏡門戸を使用して移植されてもよい。それ故、ドライバーシャフト２５４が移植片の一端２９６で固定装置１０、１１０、２１０又は３１０のボディ１２に取り付けられてもよく、シャフト２５４が大腿骨のトンネル２９０の如き準備された骨トンネルを通って関節間の結合部３０６にあるその入口３０８から上外側の入口／出口３００に案内されてもよい。次いでドライバー２６が固定装置（１０、１１０又は２１０）を大腿骨のトンネル中に固定するのに使用されてもよい。次いで同様の処置が続けられて第二固定装置及び移植片端部２９８を関節間の結合部３０６にある入口３１０を経由してけい骨のトンネルに案内することにより第二固定装置（１０’、１１０’又は２１０’）（これは移植片の反対端部２９８に取り付けられる）をけい骨のトンネル２８６に設置してもよい。
【００５４】
移植片の両端が一旦固定されると、テンショニングのあらゆる所望の調節がＴハンドル２９２の如きハンドルの助けによりスリーブ２５６を回転させることにより行なわれてもよい。スリーブ２５６の遠位端部２６６がボディ１２の近位端部２０と係合し、その結果、ドライバー２６がトルクをねじ込みボディに適用し、こうして骨トンネル中のねじ込みボディの位置の調節を可能にし得る。固定装置１０、１１０、２１０、３１０はボディ１２と移植片インターフェース部材１４、１１４、２１４及び３１４の間に回転可能な結合部３８を有するので、ボディはかなりの捻りを移植片インターフェース部材又はそれに取り付けられた移植片に加えないで骨トンネル中で回転し得る。こうして、移植片のテンショニングがボディ１２の位置を調節することにより望ましくない捻りを生じないで行ない得る。
【００５５】
更に、固定装置１０、１１０、２１０又は３１０の形態は移植片が骨トンネル中に集中整合して留まることを可能にする。何とならば、テンショニングが移植片上の軸方向の力の等しい分布を与えるからである。骨トンネル中の移植片の中央の整合は軸方向の力の等しい分布を促し、骨、例えば、骨トンネルの縁部にある鋭い骨と、移植片の軟組織の間の接触を最小にし、こうして移植片の摩擦及び引裂きの可能性を低減する。
【００５６】
本発明の精神及び範囲内の変化及び改良が、本明細書に説明されたものを超えて、本発明が関係する当業者に生じ得ることが理解されるべきである。それ故、本明細書に示された開示から当業者により容易に得られる全ての適当な改良は本発明の更なる実施態様として含まれるべきである。それ故、本発明の範囲は特許請求の範囲に示されたとおりに特定されるべきである。
【図面の簡単な説明】
【００５７】
【図１】軟組織移植片を保持するための移植片固定装置の実施態様の斜視図である。
【図２】図１の移植片固定装置のボディ部分の斜視図である。
【図３】図１の移植片固定装置のアイレット部分の側面図である。
【図４】図１の移植片固定装置の側面図である。
【図５】図４の線５−５に沿って切り取られた断面図である。
【図６】図４の線６−６に沿って切り取られた断面図である。
【図７】骨ブロックを保持するためのケージを有する移植片固定装置の実施態様の斜視図である。
【図８】図７のケージの下部を示す斜視図である。
【図９】図７のケージの上部の斜視図である。
【図１０】ケージ上部を除去された図７の実施態様の斜視図である。
【図１１】図９のケージ上部の線１１−１１に沿って切り取られた断面図である。
【図１２】ケージ上部が除去されている、図１０の固定装置の側面図である。
【図１３】ケージ部分とねじ込みボディの間の係合を示す、図１２の線１３−１３に沿って切り取られた断面図である。
【図１４】１片骨ブロックケージを有する移植片固定装置の実施態様の斜視図である。
【図１５】図１４の固定装置の側面図である。
【図１６】ケージ部分とねじ込みボディの間の係合を示す、図１５の線１６−１６に沿って切り取られた断面図である。
【図１７】図１５の１片骨ブロックケージ部分の斜視図である。
【図１８】移植片固定装置の実施態様の斜視図である。
【図１９】図１８の固定装置の側面図である。
【図２０】図１９の線２０−２０に沿って切り取られた断面図である。
【図２１】図１８のスイベルコネクタの斜視図である。
【図２２】図２１のスイベルコネクタの上正面図である。
【図２３】図２１のスイベルコネクタの側面図である。
【図２４】図２３の線２４−２４に沿って切り取られた部分断面図である。
【図２５】図１８の固定装置のらせんねじ部分の側面図である。
【図２６】本発明の方法に従って使用されるドライバーの側面図である。
【図２７】図２６のドライバーのシャフト部分の側面図である。
【図２８】図２６のドライバーの外部スリーブ部分の側面図である。
【図２９】外部スリーブの一端から突き出るドライバーシャフトの一端を示す、図２６のドライバーの遠位端部の詳細側面図である。
【図３０】ドライバー及び移植片に連結された固定装置の側面図である。
【図３１】その中に形成された前十字靭帯トンネルを示す患者の膝の側面図であり、固定装置に取り付けられた軟組織移植片がドライバーでトンネル中に引っ張られている。
【図３２】その中に形成された前十字靭帯トンネルを示す患者の膝の側面図であり、移植片固定装置に取り付けられた軟移植片がドライバーに取り付けられたＴハンドルによりトンネル中に引っ張られている。
【国際公開パンフレット】
2004527310.tif 000003
2004527310.tif 000004
2004527310.tif 000005
2004527310.tif 000006
2004527310.tif 000007
2004527310.tif 000008
2004527310.tif 000009
2004527310.tif 000010
2004527310.tif 000011
2004527310.tif 000012
2004527310.tif 000013
2004527310.tif 000014
2004527310.tif 000015
2004527310.tif 000016
2004527310.tif 000017
2004527310.tif 000018
2004527310.tif 000019
2004527310.tif 000020
2004527310.tif 000021
2004527310.tif 000022
2004527310.tif 000023
2004527310.tif 000024
2004527310.tif 000025
2004527310.tif 000026
2004527310.tif 000027
2004527310.tif 000028
2004527310.tif 000029
2004527310.tif 000030
2004527310.tif 000031
2004527310.tif 000032
2004527310.tif 000033
2004527310.tif 000034
2004527310.tif 000035
2004527310.tif 000036
2004527310.tif 000037
2004527310.tif 000038
2004527310.tif 000039
2004527310.tif 000040
2004527310.tif 000041
2004527310.tif 000042
2004527310.tif 000043
2004527310.tif 000044
【国際調査報告】
2004527310.tif 000045
2004527310.tif 000046
2004527310.tif 000047